(57)【要約】【課題】本発明は、電子機器からバッテリが外された場合であっても時刻データの再設定や再調整を必要とすることなく当該電子機器全体を小型化できるようにする。【解決手段】本発明は、電子機器に用いられるバッテリ５と、バッテリ５と一体化され、当該バッテリ５から供給される電力ＢＰに基づいて駆動するリアルタイムクロック用ＩＣ２とを設けることにより、バックアップ用の小型ボタン電池等を用いることなく時刻データＴＤ２の消失を防ぎ、かつ電子機器を小型化することができる。【選択図】図１
2007101361.tif 000002
【特許請求の範囲】
【請求項１】
電子機器に用いられるバッテリと、
上記バッテリに内蔵され、当該バッテリから供給される電力に基づいて駆動するリアルタイムクロック回路と
を具えることを特徴とするリアルタイムクロック内蔵バッテリ装置。
【請求項２】
上記リアルタイムクロック内蔵バッテリ装置は、
上記電子機器に接続されたとき、上記バッテリから供給される電力に基づいて上記リアルタイムクロック回路を駆動する状態から、上記電子機器から供給される通信用電力に基づいて上記リアルタイムクロック回路を駆動する状態へ切り換える切換手段と
を具えることを特徴とする請求項１に記載のリアルタイムクロック内蔵バッテリ装置。
【請求項３】
上記リアルタイムクロック回路は、
上記電子機器と接続されたとき、当該電子機器から受信する時刻情報に合わせて時刻調整を行う
ことを特徴とする請求項１に記載のリアルタイムクロック内蔵バッテリ装置。
【請求項４】
上記リアルタイムクロック回路は、
上記電子機器と接続されたとき、当該電子機器が受信した標準電波により得た原子時計による時刻情報に基づいて時刻調整を行う
ことを特徴とする請求項３に記載のリアルタイムクロック内蔵バッテリ装置。
【発明の詳細な説明】
【技術分野】
【０００１】
本発明は、リアルタイムクロック内蔵バッテリ装置に関し、例えばディジタルカメラ等の電子機器に適用して好適なものである。
【背景技術】
【０００２】
従来、ディジタルカメラ等の電子機器においては、リアルタイムクロック用ＩＣ(Integrated Circuit)と、バックアップ用の小型ボタン電池とが基板上に実装されており、バッテリが外された場合であってもバックアップ用の小型ボタン電池から供給される電力によりリアルタイムクロック用ＩＣを駆動するようになされている。
【０００３】
一方、移動車Ａに搭載されているバッテリから電源が供給される制御回路に対してリアルタイムクロックが備えられたものがある（例えば、特許文献１参照）。
【特許文献１】特開平5-64302号公報
【発明の開示】
【発明が解決しようとする課題】
【０００４】
ところでかかる構成の電子機器においては、バックアップ用の小型ボタン電池の容量が少ないため、バッテリが外された状態で長時間経過したときにはリアルタイムクロック用ＩＣが停止し、時刻データを失ってしまうという問題があった。
【０００５】
また電子機器においては、リアルタイムクロック用ＩＣとバックアップ用の小型ボタン電池とが基板上に実装される必要があることから、その分の基板面積を要し、小型化することが出来ないという問題があった。
【０００６】
本発明は以上の点を考慮してなされたもので、電子機器からバッテリが外された場合であっても時刻データの再設定や再調整を必要とすることなく当該電子機器全体を小型化し得るリアルタイムクロック内蔵バッテリ装置を提案しようとするものである。
【課題を解決するための手段】
【０００７】
かかる課題を解決するため本発明のリアルタイムクロック内蔵バッテリ装置においては、電子機器に用いられるバッテリと、バッテリに内蔵され、当該バッテリから供給される電力に基づいて駆動するリアルタイムクロック回路とを設けることにより、バックアップ用の小型ボタン電池等を用いることなく時刻データの消失を防ぎ、かつ電子機器を小型化することができる。
【発明の効果】
【０００８】
本発明によれば、バックアップ用の小型ボタン電池等を用いることなく時刻データの消失を防ぎ、かつ電子機器の小型化することができ、かくしてし電子機器からバッテリが外された場合であっても時刻データの再設定や再調整を必要とすることなく当該電子機器全体を小型化し得るリアルタイムクロック内蔵バッテリ装置を実現することができる。
【発明を実施するための最良の形態】
【０００９】
以下、図面について、本発明の一実施の形態を詳述する。
【００１０】
（１）リアルタイムクロック内蔵バッテリ装置の構成
図１に示すように、リアルタイムクロック内蔵バッテリ装置は例えばディジタカメラ等の電子機器に搭載されるものであり、リアルタイムクロック用ＩＣ２とコネクタ３とバッテリ５とが一体形成されてパッケージ（図示せず）に内蔵された構造を有している。
【００１１】
またリアルタイムクロック内蔵バッテリ装置１は、バッテリ５から供給される例えば３．６[V]〜４．３[V]の電源電圧を、ＦＥＴ(Field Effect Transistor)構成でなるスイッチ４を介してリアルタイムクロック用ＩＣ２のＶＣＣ端子に供給することにより、当該リアルタイムクロック用ＩＣ２を駆動させるようになされている。
【００１２】
さらにリアルタイムクロック内蔵バッテリ装置１は、リアルタイムクロック用ＩＣ２に対してコネクタ３が接続され、当該コネクタ３を介して当該電子機器のメインマイコン（図示せず）と電気的に接続されるようになされている。
【００１３】
これによりリアルタイムクロック内蔵バッテリ装置１は、バッテリ５から３．６[V]〜４．３[V]の電源電圧でなるバッテリ電力をコネクタ３のバッテリ出力端子ＢＡＴＴoutを介してメインマイコンへ供給するようになされている。因みに、リアルタイムクロック用ＩＣ２は、グランド端子Ｇｎｄがコネクタのグランド端子ＧＮＤと接続されている。
【００１４】
リアルタイムクロック用ＩＣ２及びコネクタ３は、電子機器のメインマイコンからシリアルデータを入力するため、コネクタ３のシリアルデータ入力端子ＳＩと、リアルタイムクロック用ＩＣ２のシリアルデータ入力端子Ｓｉとが接続されている。例えばリアルタイムクロック用ＩＣ２は、メインマイコンが持つ時刻情報ＴＤ１を入力することが可能であり、その時刻情報ＴＤ１に基づいて自身の時刻データＴＤ２を時刻調整し得るようになされている。
【００１５】
またリアルタイムクロック用ＩＣ２及びコネクタ３は、リアルタイムクロック用ＩＣ２が出力する時刻データＴＤ１をコネクタ３からメインマイコンへ出力するため、リアルタイムクロック用ＩＣ２のシリアルデータ出力端子Ｓｏとコネクタ３のシリアルデータ出力端子ＳＯとが接続されている。
【００１６】
さらにリアルタイムクロック用ＩＣ２及びコネクタ３は、メインマイコンとのシリアルデータ通信時における同期用クロックを入力するため、リアルタイムクロック用ＩＣ２のクロック入力端子Ｓｃｋと、コネクタ３のクロック入力端子ＳＣＫとが接続されている。
【００１７】
さらにリアルタイムクロック内蔵バッテリ装置１は、コネクタ３のチップセレクト端子ＣＳを介して通信先（チャンネル）を切り換えることが可能であり、これによりリアルタイムクロック用ＩＣ２が種々のメインマイコンと通信し得るようになされている。
【００１８】
かかる構成に加えてリアルタイムクロック内蔵バッテリ装置１は、コネクタ３のボルテージインタフェース端子ＶＩＦを介してメインマイコンから例えば２．０５[V]の電源電圧でなる通信用電力ＶＰの供給を受け、これをスイッチ４へ送出すると共にマイコン６へ送出する。
【００１９】
リアルタイムクロック内蔵バッテリ装置１のマイコン６は、ボルテージインタフェース端子ＶＩＦを介してメインマイコンから通信用電力ＶＰの供給を受けると、それをトリガーとしてスイッチ切換制御信号Ｓ１をスイッチ４へ出力することにより、当該スイッチ４の切換端子Ｔ１を接点４Ａから接点４Ｂへ切り換えさせるようになされている。
【００２０】
これによりリアルタイムクロック内蔵バッテリ装置１は、これまでバッテリ５からバッテリ電力の供給を受けていた状態から、電子機器のメインマイコンから通信用電力ＶＰの供給を受ける状態へ変更し得るようになされている。
【００２１】
因みに、電子機器のメインマイコンは、リアルタイムクロック内蔵バッテリ装置１とコネクタ３を介して接続されたとき、そもそもバッテリ５から供給された３．６[V]〜４．３[V]の電源電圧でなるバッテリ電力を２．０５[V]に変圧して使用しており、これを通信用電力ＶＰとしてコネクタ３のボルテージインタフェースＶＩＦ経由でリアルタイムクロック内蔵バッテリ装置１へ供給するようになされている。
【００２２】
従ってリアルタイムクロック内蔵バッテリ装置１のリアルタイムクロック用ＩＣ２は、電子機器のメインマイコンと電気的に接続された以降、当該メインマイコンから供給される通信用電力ＶＰに基づいて駆動するようになされている。
【００２３】
これによりリアルタイムクロック内蔵バッテリ装置１では、電子機器と接続されたとき、リアルタイムクロック用ＩＣ２とメインマイコンとの電位差を無くし、正常にデータ通信し得るようになされている。
【００２４】
なおリアルタイムクロック用ＩＣ２は、バッテリ５から供給される３．６[V]〜４．３[V]の電源電圧でなるバッテリ電力ＢＰに基づいて駆動し得、かつメインマイコンから供給される２．０５[V]の電源電圧でなる通信用電力ＶＰに基づいて駆動し得るようになされている。
【００２５】
このような構成のリアルタイムクロック内蔵バッテリ装置１において、リアルタイムクロック用ＩＣ２に対して供給する電力供給元をバッテリ５又はメインマイコンに切り換える際の電力供給元切換処理手順について次に説明する。
【００２６】
（２）電力供給元切換処理手順
図２に示すようにリアルタイムクロック内蔵バッテリ装置１のマイコン６は、ルーチンＲＴ１の開始ステップから入ってステップＳＰ１へ移り、スイッチ４の切換端子Ｔ１を接点４Ａと電気的に接続した状態で、バッテリ５から電力ＢＰをリアルタイムクロック用ＩＣ２へ供給させることにより、当該リアルタイムクロック用ＩＣ２を駆動して時刻データＴＤ２を生成させ、次のステップＳＰ２へ移る。
【００２７】
ステップＳＰ２においてマイコン６は、コネクタ３のボルテージインタフェースＶＩＦを介して電子機器のメインマイコンから通信用電力ＶＰの供給を受けたか否かを判定し、否定結果が得られるとステップＳＰ１へ戻り、バッテリ５からの電力ＢＰをリアルタイムクロック用ＩＣ２へ継続して供給させる。
【００２８】
これに対してステップＳＰ２で肯定結果が得られると、マイコン６はステップＳＰ３へ移り、通信用電力ＶＰが供給されたことをトリガーとしてスイッチ切換制御信号Ｓ１をスイッチ４へ出力し、当該スイッチ４の切換端子Ｔ１の接続先を接点４Ａから接点４Ｂへ変更することにより、リアルタイムクロック用ＩＣ２に対して供給しているバッテリ５の電力ＢＰをメインマイコンの通信用電力ＶＰに切り換え、次のステップＳＰ４へ移る。
【００２９】
ステップＳＰ４においてマイコン６は、コネクタ３のボルテージインタフェースＶＩＦを介した通信用電力ＶＰの供給が停止したか否かを判定し、否定結果が得られるとステップＳＰ４へ戻り、通信用電力ＶＰの供給が停止されるまでその状態を継続する。
【００３０】
これに対してステップＳＰ４で肯定結果が得られると、このことはリアルタイムクロック内蔵バッテリ装置１が電子機器から取り外される等してメインマイコンとコネクタ３との電気的接続が解除され、メインマイコンからコネクタ３のボルテージインタフェースＶＩＦを介して通信用電力ＶＰの供給が停止されたことを表しており、このときマイコン６は次のステップＳＰ５へ移る。
【００３１】
ステップＳＰ５においてマイコン６は、リアルタイムクロック内蔵バッテリ装置１が電子機器から取り外される等して通信用電力ＶＰの供給が停止されたので、それをトリガーとしてスイッチ切換制御信号Ｓ１をスイッチ４へ出力し、当該スイッチ４の切換端子Ｔ１の接続先を接点４Ｂから接点４Ａへ戻すことにより、リアルタイムクロック用ＩＣ２に対して供給しているメインマイコンの通信用電力ＶＰをバッテリ５の電力ＢＰに切り換え、次のステップＳＰ６へ移って電力供給元切換処理手順を終了する。
【００３２】
（３）動作及び効果
以上の構成において、リアルタイムクロック内蔵バッテリ装置１は、リアルタイムクロック用ＩＣ２とバッテリ５とを一体化してパッケージに内蔵し、当該リアルタイムクロック用ＩＣ２がバッテリ５から電力ＢＰの供給を受けるような構造としたことにより、従来のようなバックアップ用の小型ボタン電池が不要となり、その分だけ基板面積を低減させて小型化することができる。
【００３３】
またリアルタイムクロック内蔵バッテリ装置１は、リアルタイムクロック用ＩＣ２が電池容量の大きなバッテリ５から電力ＢＰの供給を受けるようにしたことにより、小型ボタン電池を使用していたときに比べて時刻データを計時して保持する時間を飛躍的に伸ばすことができ、かくして出荷時に時刻データが正しく調整されていれば、電子機器から長時間取り外されていた場合でもユーザに対して時刻データを再設定したり再調整する必要がなく、常時正確な時刻を管理し続けることができる。
【００３４】
従ってリアルタイムクロック内蔵バッテリ装置１は、電子機器に装着された時点で、当該電子機器のメインマイコンに対して正確な時刻データＴＤ２を常時提供することができる。
【００３５】
さらにリアルタイムクロック内蔵バッテリ装置１のマイコン６は、電子機器と電気的に接続されたとき、リアルタイムクロック用ＩＣ２に対する電力供給元を、バッテリ５の電力ＢＰから、コネクタ３のボルテージインタフェースＶＩＦを介して供給される通信用電力ＶＰへ切り換えることにより、当該リアルタイムクロック用ＩＣ２とメインマイコンとの間における電位差を無くし、正常にデータ通信することができる。
【００３６】
これにより、リアルタイムクロック内蔵バッテリ装置１のリアルタイムクロック用ＩＣ２は、メインマイコンからコネクタ３のクロック入力端子ＳＣＫを介して入力される時刻データＴＤ１に基づいて自身の時刻データＴＤ２を時刻調整することも出来る。
【００３７】
以上の構成によれば、リアルタイムクロック内蔵バッテリ装置１は、電子機器から当該リアルタイムクロック内蔵バッテリ装置１が取り外された場合であってもバッテリ５の電力ＢＰによってリアルタイムクロック用ＩＣ２を駆動させ続けることができるので、再度リアルタイムクロック内蔵バッテリ装置１が電子機器に装着されたときに正確な時刻データＴＤ２を提供することができ、かつバックアップ用電池が不要になる分だけ当該電子機器全体を小型化することができる。
【００３８】
（４）他の実施の形態
なお上述の実施の形態においては、リアルタイムクロック用ＩＣ２がメインマイコンから入力した時刻データＴＤ１に基づいて自身の時刻データＴＤ２を時刻調整するようにした場合について述べたが、本発明はこれに限らず、電子機器のメインマイコンが標準電波を受信することにより得た原子時計による時刻情報に基づいて時刻データＴＤ２の時刻調整を行うようにしても良い。
【００３９】
また上述の実施の形態においては、リアルタイムクロック用ＩＣ２が電子機器のメインマイコンと電気的に接続された以降、当該メインマイコンから供給される通信用電力ＶＰに基づいて駆動するようにスイッチ４の切換端子Ｔ１の接続先を切り換えるようにした場合について述べたが、本発明はこれに限らず、リアルタイムクロック用ＩＣ２とメインマイコンとの電位差が生じた状態であっても正常にデータ通信し得るのであれば、スイッチ４の切換端子Ｔ１の接続先を切り換えずにバッテリ５の電力ＢＰをリアルタイムクロック用ＩＣ２へ供給したままにするようにしても良い。
【００４０】
さらに上述の実施の形態においては、切換手段としてＦＥＴ構成でなるスイッチ４を用いるようにした場合について述べたが、本発明はこれに限らず、トランジスタ構成でなるスイッチ４を用いる等、その他種々の構成でなるスイッチ４を用いるようにしても良い。
【産業上の利用可能性】
【００４１】
本発明のリアルタイムクロック内蔵バッテリ装置は、例えばディジタルカメラ以外のノート型パーソナルコンピュータ、ＰＤＡ(Personal Digital Assistant)、携帯型音楽プレーヤ、携帯電話機等のバッテリ駆動型の電子機器に適用することができる。
【図面の簡単な説明】
【００４２】
【図１】リアルタイムクロック内蔵バッテリ装置の構成を示す略線的ブロック図である。
【図２】電力供給元切換処理手順を示すフローチャートである。
【符号の説明】
【００４３】
１……リアルタイムクロック内蔵バッテリ装置、２……リアルタイムクロック用ＩＣ、３……コネクタ、４……スイッチ、５……バッテリ、６……マイコン。
【図１】
2007101361.tif 000003
【図２】
2007101361.tif 000004